【事件の表示】
　特願２００２−１９５２１２「実装ケース入り電気光学装置及び投射型表示装置」拒絶査定不服審判事件〔平成１６年　２月　５日出願公開、特開２００４−　３７８７４〕について、次のとおり審決する。
【結　論】
　本件審判の請求は、成り立たない。
【理　由】
１．手続の経緯
　本願は、平成１４年７月３日の特許出願であって、平成１８年１０月２日付で拒絶査定がなされ、これに対し、同年１１月７日に拒絶査定不服審判の請求がなされるとともに、同年１２月４日に手続補正がなされたものである。
　
２．平成１８年１２月４日の手続補正についての補正却下の決定
［補正却下の決定の結論］
　  平成１８年１２月４日の手続補正を却下する。
［理由］
（１）補正の内容
　本件補正は、特許請求の範囲の請求項１を下記のように補正することを含むものである。　
　
「【請求項１】　画像表示領域に光源から投射光が入射される電気光学装置と、
　前記電気光学装置における光入射面又は光出射面の少なくとも一方に設けられる防塵用基板と、
　前記電気光学装置側の該防塵用基板に形成される第１遮光膜と、
　前記電気光学装置を構成する一対の基板のうちの前記光源側に位置する基板及び他方の基板の少なくとも一方に形成される第２遮光膜と、
　前記電気光学装置における前記画像表示領域の周辺に位置する周辺領域の少なくとも一部を保持して当該電気光学装置及び前記防塵用基板を収納する実装ケースと、
　前記電気光学装置及び前記実装ケース間を固定維持するためのフックと、を備えてなり、
　前記防塵用基板の端面には、前記第１遮光膜に接続されるように端面遮光膜が形成され、前記端面遮光膜に接続されるように前記電気光学装置とは反対側の前記防塵用基板に裏面遮光膜が更に形成され、かつ、前記第１遮光膜は前記裏面遮光膜よりも前記画像表示領域の方向へ長く形成され、
　前記第２遮光膜、前記第１遮光膜、前記端面遮光膜、前記裏面遮光膜、前記防塵用基板、前記フック及び前記実装ケースは、熱伝導路を構成し、
　
前記フックは、前記電気光学装置を構成する一対の基板間のセルギャップを一定にする機能を有する
　
（２）当審の判断
　請求人は、請求項１において「前記フックは、前記電気光学装置を構成する一対の基板間のセルギャップを一定にする機能を有する」と補正しようとしている。
　しかしながら、願書に最初に添付した明細書又は図面（以下、「当初明細書」という。）には、
「【０１０４】
　なお、第１実施形態では、上述のように、フック部６２０と防塵用基板４００とは、全面的に接触するような形態とされていたが、本発明は、このような形態に限定されるものではない。例えば、図７に符号Ｑでもって示した円内部分の拡大図たる図１１（ａ）〜（ｃ）に示すように、フック部分６２０及び防塵用基板４００間の接触態様について、種々のものを選択し得る。まず、
図１１（ａ）は、上述のように、フック部分６２０及び防塵用基板４００間が全面的に接触するような形態である
図１１（ｂ）では、フック部分６２０における防塵用基板４００に対向する面に、折り曲げ部６２０ａが設けられており、該面の一部分のみが防塵用基板４００の面と接触するような形態とされている
図１１（ｃ）に示すように、フック部分６２０及び防塵用基板４００間に接触する部分を設けず、その間隙内に適当な樹脂材料６２１を充填するような形態としてもよい
いずれにせよ、フック部分６２０及び防塵用基板４００が、このように直接的に接触しない場合には、電気光学装置を構成する一対の基板間のセルギャップを一定に保たなければならないとの要請を、よりよく達成することができるという利点が得られる
　【０１０５】
　以上のように、本発明においては、フック部分６２０及び防塵用基板４００間の接触態様について種々の形態をとりうるが、熱伝導路としての機能を高めるという観点からは、図１１（ａ）が最も好ましく、以下、図１１（ｂ）及び図１１（ｃ）の順で好ましいということがいえる（なお、接触する部分の面積が、図１１（ａ）及び図１１（ｂ）の間にあるものや、図１１（ｂ）及び図１１（ｃ）の間にあるもの等を想定することができることは言うまでもない。）。
しかし、上述のセルギャップ一定の要請等の観点からすれば、図１１（ａ）では、それを実現することは最も困難といえる
　
　これによれば、フック部分６２０及び防塵用基板４００間に接触する部分を設けず、その間隙内に適当な樹脂材料６２１を充填するような形態（図１１（ｃ）のもの）であれば、フック部分６２０と防塵用基板４００とが直接接触するような形態（図１１（ａ）のもの）と比べて、セルギャップをよりよく一定に保つことができることは理解できるものの、フック部分６２０を含むフックそれ自体がセルギャップを一定にする機能を有する旨は読みとれない。
　それゆえ、「前記フックは、前記電気光学装置を構成する一対の基板間のセルギャップを一定にする機能を有する」に補正する点は、当初明細書に記載されておらず、また、当初明細書の記載から自明な事項でもない。
　
　したがって、この補正は、願書に最初に添付した明細書又は図面に記載した事項の範囲内においてしたものでなく、特許法第１７条の２第３項の規定に違反するものであるから、特許法第１５９条第１項で読み替えて準用する同法第５３条第１項の規定により却下すべきものである。
　
３．本願発明について
（１）本願発明
　平成１８年１２月４日の手続補正は上記のとおり却下されたので、本願の請求項に係る発明は、同年８月１日の手続補正により補正された明細書及び図面の記載からみて、その特許請求の範囲の請求項１〜１６に記載された事項により特定されるものであるところ、請求項１に係る発明は、次のものである。
　
「【請求項１】　画像表示領域に光源から投射光が入射される電気光学装置と、
　前記電気光学装置における光入射面又は光出射面の少なくとも一方に設けられる防塵用基板と、
　該防塵用基板に形成される第１遮光膜と、
　前記電気光学装置を構成する一対の基板のうちの前記光源側に位置する基板及び他方の基板の少なくとも一方に形成される第２遮光膜と、
　前記電気光学装置における前記画像表示領域の周辺に位置する周辺領域の少なくとも一部を保持して当該電気光学装置及び前記防塵用基板を収納する実装ケースとを備えてなり、
　前記防塵用基板の端面には、前記第１遮光膜に接続されるように端面遮光膜及び前記端面遮光膜に接続されるように裏面遮光膜が更に形成され、かつ、前記第１遮光膜は前記裏面遮光膜よりも前記画像表示領域の方向へ長く形成され、
　前記第２遮光膜、前記第１遮光膜、前記端面遮光膜、前記裏面遮光膜、前記防塵用基板及び前記実装ケースは、熱伝導路を構成することを特徴とする実装ケース入り電気光学装置。」（以下、「本願発明」という。）
　
（２）刊行物記載の発明
　原審における拒絶の理由に引用した特開２０００−８９３６４号公報（以下、「刊行物１」という。）には、図面とともに以下の事項が記載されている。
　　ア．「【０００１】
【発明の属する技術分野】本発明は、光変調装置およびこの光変調装置を利用した投写型表示装置に係り、特に小型化を図りかつ装置内部に配置される光変調装置を含む光学系を効率よく冷却する技術に関する。」
　
　　イ．「【００７２】サファイアガラス９６２Ｒ、９６２Ｇ、９６２Ｂ、９６３Ｒ、９６３Ｇ、９６３Ｂを貼り付けた液晶パネル９２５Ｒ、９２５Ｇ、９２５Ｂは、フレーム９６５Ｒ、９６５Ｇ、９６５Ｂに収納されている。また、液晶パネル９２５Ｒ、９２５Ｇ、９２５Ｂの光入射面の周縁部には金属薄膜９２６が、サファイアガラス９６２Ｒ、９６２Ｇ、９６２Ｂの光入射面側の周縁部には金属薄膜９６４が、それぞれコーティングされている（図９参照）。」
　
　　ウ．「【００７５】図９にはフレーム９６５Ｒの概略断面構成を示してある。
　・・・・（中略）・・・・
【００７６】フレーム９６５Ｒは、サファイアガラス９６２Ｒ、９６３Ｒが貼り付けられた液晶パネル９２５Ｒを光入射面側から保持する第１の枠部材５１と、これを光出射面側から保持する第２の枠部材５２とを有している。そして、第１および第２の枠部材５１、５２によってサファイアガラス９６２Ｒ、９６３Ｒが貼り付けられた液晶パネル９２５Ｒが挟まれた状態で保持されている。
【００７７】第１の枠部材５１は、熱伝導率のよいマグネシウムを主材料とする材料で形成されている。また、光通過用の矩形開口５１ａと、四周に一定の厚さの周囲壁５１ｂとを備えている。さらに、第１の枠部材５１は、液晶パネル９２５Ｒ、およびサファイアガラス９６２Ｒ、９６３Ｒの側面を囲う状態に設けられている。
【００７８】第２の枠部材５２は、ステンレス等の弾性を有する材料で形成されている。また、光通過用の矩形開口５２ａと、四周に一定の厚さの周囲壁５２ｂとを備えている。
【００７９】第１の枠部材５１の側面において左右それぞれ２ヶ所の位置には係合突起５１ｃが形成されている。これに対して、第２の枠部材５２には、各係合突起５１ｃに対応する位置に、これらを嵌め込み可能な係合穴５２ｃが形成されている。従って、液晶パネル９２５Ｒの光出射面側に設けられているサファイアガラス９６３Ｒの外側から、各係合突起５１ｃが各係合穴５２ｃに差し込まれるように、第２の枠部材５２を押し込むと、サファイアガラス９６２Ｒ、９６３Ｒが貼り付けられた液晶パネル９２５Ｒがフレーム９６５Ｒによって保持される。」
　
　　エ．「【００９７】４）さらに、前述した液晶パネル９２５Ｒ、９２５Ｇ、９２５Ｂは、マトリクス状の画素を有し、当該画素の周辺部は遮光されている（図示省略）。」
　
　　オ．「【００９９】６）本実施形態では、サファイアガラス９６２Ｒ、９６２Ｇ、９６２Ｂと液晶パネル９２５Ｒ、９２５Ｇ、９２５Ｒとの間に金属薄膜９２６が介在されている。そして、その金属箔膜９２６を介して熱がサファイアガラス９６２Ｒ、９６２Ｇ、９６２Ｂに伝達される。また、フレーム９６５Ｒ、９６５Ｇ、９６５Ｂとサファイアガラス９６２Ｒ、９６２Ｇ、９６２Ｂとの接触部分には金属薄膜９６４が介在されている。そして、その金属薄膜を介して熱がフレーム９６５Ｒ、９６５Ｇ、９６５Ｂに伝達される。従って、放熱性が向上し、液晶パネル９２５Ｒ、９２５Ｇ、９２５Ｂの過熱防止を一層効率よく図ることができる。
　・・・・（中略）・・・・
【０１００】７）本実施形態において、フレーム９６５Ｒを構成する第１の枠部材５１は、熱伝導率の高いマグネシウムを主材料とする材料で形成されている。従って、フレーム９６５Ｒ、９６５Ｇ、９６５Ｂからの放熱が一段と良好となり、液晶パネル９２５Ｒ、９２５Ｇ、９２５Ｂの過熱防止を一層効率よく図ることができる。」
　
　　カ．ここで、金属薄膜９２６は液晶パネル９２５Ｒ、９２５Ｇ、９２５Ｂの光入射面の周縁部に形成されている（上記イ）。しかしながら、上記オには「
サファイアガラス９６２Ｒ、９６２Ｇ、９６２Ｂと液晶パネル９２５Ｒ、９２５Ｇ、９２５Ｒとの間に金属薄膜９２６が介在されている
金属箔膜９２６を介して熱がサファイアガラス９６２Ｒ、９６２Ｇ、９６２Ｂに伝達される
　
　　キ．さらに、図９からは、「金属薄膜９２６と金属薄膜９６４とがサファイアガラス９６２Ｒの端部から内側に向け同じ長さに形成されている」点が見て取れる。
　
　上記によれば、刊行物１には、
「サファイアガラスを貼り付けた液晶パネルが、マグネシウムを主材料とする材料で形成されたフレームにより、その側面を囲う状態に収納された投写型液晶表示装置において、前記液晶パネルは、マトリクス状の画素を有し、当該画素の周辺部は遮光されており、前記サファイアガラスの、液晶パネル側の周縁部には金属薄膜９２６が、また、光入射面側の周縁部には金属薄膜９６４が、それぞれ前記サファイアガラスの端部から内側に向け同じ長さにコーティングされており、液晶パネルの熱は、前記サファイアガラス及び金属薄膜９２６，９６４を介して上記フレームに伝達される投写型液晶表示装置。」との発明（以下、「引用発明１」という。）が開示されているものと認められる。
　
　同じく、特開平１１−２９５６８３号公報（以下、「刊行物２」という。）には、図面とともに以下の事項が記載されている。
　　ク．「【請求項３２】  表示領域に画素電極が形成された第１基板と、
前記第１基板に対向配置された第２基板と、
前記第１及び第２基板間に配置された電気光学物質と、
前記第１及び第２基板の少なくとも一方の基板の外面側に配置された第３基板と、該第３基板上の前記表示領域の周辺領域に配置された第１遮光膜と、前記第１及び第２基板の内面側の表示領域の周辺領域に配置された第２遮光膜とを具備する電気光学装置であって、
前記第１遮光膜の前記有効表示領域側の端部は、前記第２遮光膜の前記表示領域側の端部よりも周辺側であって前記第１遮光膜と前記第２遮光膜とは平面的にみて少なくとも一部で重なるように配置されてなることを特徴とする電気光学装置。」
　
　　ケ．「【０００１】
【発明の属する技術分野】本発明は、電気光学装置、それを用いた投射型表示装置、および電気光学装置の製造方法に関するものである。さらに詳しくは、２枚の基板の内側に電気光学物質を配置し、その外面側の構造技術、および当該構造の形成技術に関するものである。」
　
　　コ．「【０００４】他方、以上のように構成された電気光学装置は通常、表示領域に対応する開口部が設けられた遮光性のケースに実装されるが、表示領域の額縁（輪郭）は、対向基板４００にＣｒ（クロム）等の遮光膜（以下、周辺見切りと称す。）により規定されるのが一般的である。」
　
　　サ．「【００３０】本発明のかかる構成によれば、第３透明基板が、第１及び第２透明基板の一方或いは両方の外面側（即ち、電気光学物質に面する側と反対の側）に設けられているため、塵等に対する防塵機能が高められる。同時に、第３透明基板の厚みに応じて、第３透明基板の表面に付着した塵や傷等に対するデフォーカス機能が高められる。
　・・・・（中略）・・・・
これらに加えて、第３透明基板により電気光学装置全体としても熱容量を増加でき、更に第２遮光膜の存在により、入射光による電気光学装置内における温度上昇を抑制することもできる。」
　
　上記によれば、刊行物２には、
「表示領域に画素電極が形成された第１基板と、前記第１基板に対向配置された第２基板と、前記第１及び第２基板間に配置された電気光学物質と、前記第１及び第２基板の少なくとも一方の基板の外面側に配置された第３基板と、該第３基板上の前記表示領域の周辺領域に配置された第１遮光膜と、前記第１及び第２基板の内面側の表示領域の周辺領域に配置された第２遮光膜とを具備する電気光学装置であって、前記第１遮光膜の前記有効表示領域側の端部は、前記第２遮光膜の前記表示領域側の端部よりも周辺側であって前記第１遮光膜と前記第２遮光膜とは平面的にみて少なくとも一部で重なるように配置されてなり、前記第２遮光膜は、Ｃｒ（クロム）等からなり、以て入射光による電気光学装置内における温度上昇を抑制するものである電気光学装置。」との発明（以下、「引用発明２」という。）が開示されているものと認められる。
　
　同じく、特開平１０−２３２６２９号公報（以下、「刊行物３」という。）には、図面とともに以下の事項が記載されている。
　　シ．「【０００１】
【発明の属する技術分野】本発明は、遮光構造を有する液晶表示素子およびこれを用いた投射型液晶表示装置に関する。」
　
　　ス．「【００１３】図１および図２は本発明の一実施の形態に係る液晶表示素子の構成を表すもので、図１は液晶表示素子１０を正面から見た状態、図２は図１のＸ−Ｘ線の矢視方向の断面構造をそれぞれ表すものである。液晶表示素子１０は、第１の基板としての駆動基板１１と第２の基板としての対向基板１２とを対向配置して構成したもので、これら駆動基板１１と対向基板１２との間には液晶層１３が保持されている。駆動基板１１は例えばガラスなどの透明体により形成されており、中央部に複数の画素毎に例えばマトリクス状に配列された透明の画素電極およびスイッチング素子（ＴＦＴ (Thin Film Transistor, 薄膜トランジスタ））が形成された有効画素部を備え、この有効画素部の周囲に水平駆動回路および垂直駆動回路を含む周辺回路が形成されている。ここで、有効画素部が光を照射される光照射領域１１ａであり、周辺回路が光を照射されるべきでない非光照射領域１１ｂである。対向基板１２は駆動基板１１と同様に透明基板により形成され、駆動基板１１との対向面には対向電極（図示せず）が形成されている。なお、対向基板１２については駆動基板１１側の光照射領域１１ａに対向する領域を光照射領域１２ａ、その他の領域を非光照射領域１２ｂとする。
　・・・・（中略）・・・・
【００１４】本実施の形態では、駆動基板１１の背面に遮光基板１５、また対向基板１２の前面に遮光基板１６がそれぞれ低応力の接着剤（例えばシリコン系樹脂やゲル状接着剤）により直接接着されている。遮光基板１５の外面には、液晶表示素子１０から出射した光を偏向させるための偏光板１７が接着され一体化されている。遮光基板１５，１６および偏光板１７は放熱（冷却）用の金属枠１８に対して熱伝導性接着剤、例えばアルミナ等の導電性材料を混入したシリコン系樹脂により固定されると共に熱的に結合されている。
【００１５】遮光基板１５は、図３にも示したように透明基板１５ａの表面の駆動基板１１の非光照射領域１１ｂに対向する領域に枠状の遮光膜１５ｂを形成したものである。他方の遮光基板１６も同様に、例えば、透明基板１６ａの表面の対向基板１２の非光照射領域１２ｂに対向する領域に枠状の遮光膜１６ｂを形成して構成されている。透明基板１５ａ，１６ａは共に耐熱ガラス例えば石英ガラスにより形成されている。これら透明基板１５ａ，１６ａは、各々その厚さがその表面に付着した埃などの異物の焦点を駆動基板１１の表面すなわち画素部に結ばせないように例えば２ｍｍ以上となっている。遮光膜１５ｂ，１６ｂは各々例えばＯＤ(Optical Density: 光学濃度）値が３．０以上の遮光性が高いもので、しかも駆動基板１１および対向基板１２にそれぞれ接着させるための接着剤による応力歪（すなわち、透明基板の反り）の発生を抑制するために膜厚２０ｎｍ以下のものが望ましい。遮光膜１５ｂ，１６ｂとしては例えばエポキシ系樹脂を用いた印刷法により形成することができる。また、これら遮光膜１５ｂ，１６ｂは絶縁材料により形成してもよいが、例えば蒸着法により銀（Ａｇ），クロム（Ｃｒ），アルミニウム（Ａｌ），炭素（Ｃ）等の導電性膜を形成すると共にこの導電性膜を接地させることにより、遮光機能に加え液晶表示素子１０のシールド機能を持たせることができる。」
　
　　セ．「【００１６】このように本実施の形態では、遮光性が高く、かつ薄い遮光膜１５ｂ，１６ｂをそれぞれ透明基板１５ａ，１６ａ上に直接形成してなる遮光基板１５，１６を駆動基板１１および対向基板１２の外面に直接接着させているので、遮光膜１５ｂ，１６ｂが駆動基板１１および対向基板１２の表面に密着した状態となっている。そのため駆動基板１１および対向基板１２の各非光照射領域１１ｂ，１２ｂへの光の入射を精度良く阻止することができる。また、遮光膜１５ｂと駆動基板１１との間、および遮光膜１６ｂと対向基板１２との間へのダスト等の異物の混入を防ぐことができる。更に、遮光膜１５ｂと駆動基板１１との間、および遮光膜１６ｂと対向基板１２との間がそれぞれが密着し、空気の層が形成されないため、入射光により発生した熱は遮光基板１５，１６を通して金属枠１８から効果的に放熱される。従って、冷却手段として大型のものを用いることなく液晶表示素子１０の冷却効果を向上させることができる。」
　
　　ソ．「【００１７】図４は本発明の他の実施の形態に係る遮光基板３０の構成を表すものである。上記実施の形態の遮光基板１５，１６はそれぞれ非光照射領域のうち周辺回路に対向する領域のみに部分的に遮光膜を設けるようにしたが、本実施の形態の遮光基板３０では、透明基板３１の表面の非光照射領域に対向する領域の全面、更にその側面にわたって黒色の遮光膜３２を例えば蒸着法によって形成したものである。また、この遮光膜３２には図５に図４のＹ−Ｙ断面を拡大して示したように表面に凹凸部３２ａが形成されている。遮光膜３２は上記実施の形態と同様に導電性材料例えば銀（Ａｇ），クロム（Ｃｒ），アルミニウム（Ａｌ），炭素（Ｃ）等で形成されると共に接地されている。
【００１８】この遮光基板３０では、透明基板３１の側面にも黒い遮光膜３２が形成されているので、上記実施の形態の効果に加え透明基板３１の側面からの光の入射および側面での不要な反射を防ぐことができる。」
　
　上記によれば、刊行物３には、
「液晶表示素子の駆動基板の背面に遮光基板が直接接着され、さらに該遮光基板は放熱（冷却）用の金属枠に熱的に結合されている投射型液晶表示装置において、前記遮光基板には、表面の非光照射領域に対向する領域の全面、及びその側面にわたってクロム（Ｃｒ），アルミニウム（Ａｌ）などからなる黒色の遮光膜が形成され、入射光により発生した熱は遮光基板を通して金属枠から効果的に放熱される投射型液晶表示装置。」との発明（以下、「引用発明３」という。）が開示されているものと認められる。
　
（３）対比
　本願発明と上記引用発明１とを対比する。
　　ａ．引用発明１の「サファイアガラス」、「液晶パネル」、「フレーム」及び「投写型液晶表示装置」が、それぞれ、本願発明の「防塵用基板」、「電気光学装置」、「実装ケース」及び「実装ケース入り電気光学装置」に相当することは明らかである。
　
　　ｂ．引用発明１の「金属薄膜９６２」及び「金属薄膜９６４」は、それぞれサファイアガラスの液晶パネル側の周縁部及び光入射面側の周縁部にコーティングされている遮光膜であるから、各々本願発明の「第１遮光膜」及び「裏面遮光膜」に相当する。
　また、引用発明１の「液晶パネルは、マトリクス状の画素を有し、当該画素の周辺部は遮光されて」いるのであるから、上記液晶パネルを構成する一対の基板のいずれかに遮光部が形成されていることは明らかであり、したがって、引用発明１は、本願発明の「第２遮光膜」を有する。
　
　　ｃ．引用発明１は「液晶パネルの熱は、前記サファイアガラス及び金属薄膜９２６，９６４を介して上記フレームに伝達される投写型液晶表示装置」であるから、少なくとも上記サファイアガラス、金属薄膜９２６，９６４、及びフレームが熱伝導路を構成することは明らかであり、したがって本願発明とは「第１遮光膜、裏面遮光膜、防塵用基板及び実装ケースは、熱伝導路を構成する」の点で一致するものといえる。
　
　よって、両者は、
「画像表示領域に光源から投射光が入射される電気光学装置と、
　前記電気光学装置における光入射面又は光出射面の少なくとも一方に設けられる防塵用基板と、
　該防塵用基板に形成される第１遮光膜と、
　前記電気光学装置を構成する一対の基板のうちの前記光源側に位置する基板及び他方の基板の少なくとも一方に形成される第２遮光膜と、
　前記電気光学装置における前記画像表示領域の周辺に位置する周辺領域の少なくとも一部を保持して当該電気光学装置及び前記防塵用基板を収納する実装ケースとを備えてなり、
　前記防塵用基板の端面には、裏面遮光膜がさらに形成され、
　前記第１遮光膜、前記裏面遮光膜、前記防塵用基板及び前記実装ケースは、熱伝導路を構成する実装ケース入り電気光学装置。」
で一致し、以下の点で相違する。
　
　[相違点１]
　本願発明の防塵用基板の端面には、「前記第１遮光膜に接続されるように端面遮光膜及び前記端面遮光膜に接続されるように裏面遮光膜が更に形成され」ているのに対して、引用発明１は、防塵用基板の端面に、第１遮光膜とともに裏面遮光膜が形成されるものの、第１遮光膜及び裏面遮光膜に接続する端面遮光膜を有さない点。
　
　[相違点２]
　本願発明では、「前記第１遮光膜は前記裏面遮光膜よりも前記画像表示領域の方向へ長く形成され」ているのに対して、引用発明１では、第１遮光膜と裏面遮光膜とは同じ長さで形成されている点。
　
　[相違点３]
　本願発明の熱伝導路は、「前記第２遮光膜、前記第１遮光膜、前記端面遮光膜、前記裏面遮光膜、前記防塵用基板及び前記実装ケース」からなるのに対し、引用発明１では、端面遮光膜を有さず、また、第２遮光膜が熱伝導路であるか明らかではない点。
　
（４）判断
　[相違点１]について
　上記引用発明３は、入射光により発生した熱が遮光基板を通して金属枠から効果的に放熱される投射型液晶表示装置であって、その「遮光基板」には、「表面の非光照射領域に対向する領域の全面、及びその側面にわたってクロム（Ｃｒ），アルミニウム（Ａｌ）などからなる黒色の遮光膜が形成され」ているものである。
　ここで、上記「遮光基板」は、本願発明の「防塵用基板」に、同様に「表面の非光照射領域に対向する領域の全面の遮光膜」は、「裏面遮光膜」に、「側面の遮光膜」は、「端面遮光膜」に相当するから、引用発明３は、本願発明の「前記端面遮光膜に接続されるように裏面遮光膜が更に形成され」を有するといえる。
　
　そこで、刊行物３（引用発明３）の端面遮光膜を引用発明１に適用することが容易であるかについて検討するに、両発明はともに投写型液晶表示装置であって、しかも液晶パネルの熱を実装ケースに伝導させて逃がす構成、すなわち熱伝導路を有することで共通する。
　しかも、引用発明１では、「液晶パネルの熱は、前記サファイアガラス及び金属薄膜９２６，９６４を介して上記フレームに伝達される」のであるから、防塵用基板と実装ケースとの間の熱の伝達を裏面遮光膜を介して積極的に行うことにより放熱性を向上せしめることを意図したものであるといえる。この場合、遮光膜と防塵用基板ないしは実装ケースとの接触面積が大きいほど放熱性が向上することは自明であるから、引用発明１が端面遮光膜を採用すべき動機を十分有していることは明らかである。
　
　したがって、両者に接した当業者であれば、引用発明１の防塵用基板に刊行物３（引用発明３）の端面遮光膜を採用して、相違点１に係る本願発明の発明特定事項となすことは容易に想到し得たことである。
　
　[相違点２]について
　引用発明１の金属薄膜９２６，９６４（本願発明の第１遮光膜、裏面遮光膜に相当）は同じ長さに形成されているが、この形成長さについて考察するに、仮に光線の入射側である金属薄膜９６４（裏面遮光膜）が当該遮光膜より液晶パネル側に位置する金属薄膜９２６（第１遮光膜）より画像表示領域の方向へ長く形成されているとすると、入射光は金属薄膜９６４の枠に規制されるから、場合によっては画像表示領域に入射すべき光が金属薄膜９６４にケラレてしまう虞がある。しかも、金属薄膜９６４の形成位置は液晶パネル面から最も離れた外表面であるから入射光に角度が付いているとこの傾向が益々顕著になると考えられる。
　したがって、液晶パネル面から距離的に離れたところに形成される遮光膜の枠はそれより近くに形成される枠に比して同等かそれより大きく、換言するならば、裏面遮光膜は第１遮光膜より画像表示領域の方向へ同等かないしはより短く形成すべきであり、このことは光線のケラレを考慮した場合の技術常識にすぎないから、相違点２は単なる構成上の微差であるといえる。
　
　また、上記引用発明２は、
「表示領域に画素電極が形成された第１基板と、前記第１基板に対向配置された第２基板と、前記第１及び第２基板間に配置された電気光学物質と、前記第１及び第２基板の少なくとも一方の基板の外面側に配置された第３基板と、該第３基板上の前記表示領域の周辺領域に配置された第１遮光膜と、前記第１及び第２基板の内面側の表示領域の周辺領域に配置された第２遮光膜とを具備する電気光学装置であって、前記第１遮光膜の前記有効表示領域側の端部は、前記第２遮光膜の前記表示領域側の端部よりも周辺側であ・・・・る電気光学装置」
であって、液晶パネル側に形成される第２遮光膜よりもその外側に形成される第１遮光膜の方が画像表示領域の方向へ短く形成されており、光線のケラレを考慮した設計が施されている、といえる。
　
　したがって、相違点２に係る本願発明の発明特定事項は、単なる構成上の微差であるか、または、引用発明１に刊行物２（引用発明２）の設計を施したものにすぎないから、格別とはいえない。
　
　[相違点３]について
　　ｉ．引用発明１の第２遮光膜が熱伝導路であるか明らかではないが、上記引用発明２は、
「表示領域に画素電極が形成された第１基板と、前記第１基板に対向配置された第２基板と、前記第１及び第２基板間に配置された電気光学物質と、前記第１及び第２基板の少なくとも一方の基板の外面側に配置された第３基板と・・・、前記第１及び第２基板の内面側の表示領域の周辺領域に配置された第２遮光膜とを具備する電気光学装置であって、・・・第２遮光膜は、Ｃｒ（クロム）等からなり、以て入射光による電気光学装置内における温度上昇を抑制するものである電気光学装置。」
なる事項を含み、上記第２遮光膜は本願発明の第２遮光膜に相当するから、引用発明２の第２遮光膜が熱伝導路を構成することは明らかである。
　そして、引用発明１と引用発明２とはともに投写型液晶表示装置に関し、上記[相違点１]についてで詳述したように引用発明１は液晶パネルの熱を実装ケースに伝導させる熱伝導路を形成したものであるから、引用発明１に引用発明２の熱伝導路を構成する第２遮光膜を採用することには十分な動機があるといえる。
　
　　ｉｉ．また、引用発明３に開示された端面遮光膜を引用発明１に適用容易であることも上記「[相違点１]について」で検討したとおりであるから、上記ｉの検討結果と相まって、引用発明１に熱伝導路を構成する端面遮光膜及び第２遮光膜を適用することが容易であるといえる。
　そして、これにより結果的に本願発明の「前記第２遮光膜、前記第１遮光膜、前記端面遮光膜、前記裏面遮光膜、前記防塵用基板及び前記実装ケースは、熱伝導路を構成すること」なる発明特定事項を備えることとなるから、相違点３に係る本願発明の発明特定事項は刊行物１乃至３に記載された発明に基づき容易に想到し得たことである。
　
（５）むすび
　以上のとおり、本願発明は、刊行物１乃至３に記載された発明に基づいて当業者が容易に発明をすることができたものであるから、特許法第２９条第２項の規定により特許を受けることができない。
　
　よって、結論のとおり審決する。